(57)【要約】  【課題】  収納ケースを組み立てる際に、糊等の接着剤を用いる必要がなく、組み立て作業が極めて容易で、しかも簡単に解体できる収納ケースを提供することである。【解決手段】  本発明は、正面部、背面部、側面部、天面部、底面部を備えた一枚のシート状体を折り曲げ部に沿って折り曲げて組み立てる収納ケースであって、組み立てる際に重なる２辺のうちの一方に突片を設け、他方に折り曲げ部を介して延長部を連設し、前記延長部に前記突片を係止する係止溝を設けたことを特徴とする収納ケースである。【選択図】        図１
2005289400.tif 000002
【特許請求の範囲】
【請求項１】
正面部、背面部、側面部、天面部、底面部を備えた一枚のシート状体を折り曲げ部に沿って折り曲げて組み立てる収納ケースであって、組み立てる際に重なる２辺のうちの一方に突片を設け、他方に折り曲げ部を介して延長部を連設し、前記延長部に前記突片を係止する係止溝を設けたことを特徴とする収納ケース。
【請求項２】
シート状体の折り曲げ部の両端部分を切欠いたことを特徴とする請求項１記載の収納ケース。
【請求項３】
シート状体を透明としたことを特徴とする請求項１または２記載の収納ケース。
【発明の詳細な説明】
【技術分野】
【０００１】
本発明は、携帯電話機やＣＤプレイヤー等を収納するものであって、組み立て簡単な収納ケースに関するものである。
【背景技術】
【０００２】
収納ケースに関して、従来、一枚のシート状体を箱型の収納ケースに組み立てるものが存在する（例えば、特許文献１参照）。
【０００３】
これは、打抜型を用いた打抜工程において所定形状の一枚のシート状体を成形した後、サック貼り工程などで、シート状体の糊代片に他の部分を貼着することにより収納ケースを組み立てるものである（特許文献１、第３頁左欄４２〜４５行参照）。
【特許文献１】特開平１１−５９０４８号公報
【発明の開示】
【発明が解決しようとする課題】
【０００４】
しかし、このような収納ケースは、一枚のシート状体を箱型の収納ケースに組み立てる際に糊等を用いる必要があるため、組み立て作業が煩雑である。また、糊等で一旦貼着してしまうと、組み立てた収納ケースを容易に解体することができない。
【０００５】
そこで、本発明の課題は、組み立て容易且つ解体容易な収納ケースを提供することである。
【課題を解決するための手段】
【０００６】
本発明は、正面部、背面部、側面部、天面部、底面部を備えた一枚のシート状体を折り曲げ部に沿って折り曲げて組み立てる収納ケースであって、組み立てる際に重なる２辺のうちの一方に突片を設け、他方に折り曲げ部を介して延長部を連設し、前記延長部に前記突片を係止する係止溝を設けたことを特徴とする収納ケースである。
【０００７】
このようなものであると、収納ケースを組み立てる際に、糊等の接着剤を用いる必要がなく、突片を係止溝に係止することにより組み立てることができるので、組み立て作業が極めて容易になる。また、前記の係止を解けば、組み立てた後でも簡単に解体できる。すなわち、組み立て・解体を簡単に繰り返すことができる。
【０００８】
また、組み立てた収納ケースの角が鋭く尖っていると、物に引っ掛かったり、人がその角に接触したときに怪我をするおそれがあるため好ましくない。
【０００９】
そこで、本発明の収納ケースは、シート状体の折り曲げ部の両端部分を切欠いたものとしている。
【００１０】
このようなものであると、組み立てた収納ケースの角が面取りされた状態となり、物が引っ掛かり難く、且つ、人がその角に接触して切り傷等の怪我をするおそれが少ない。
【００１１】
また、本発明の収納ケースにおいて、内部に収納した収納物を外部から認識し易くするためには、シート状体を透明にすることが好ましい。
【発明の効果】
【００１２】
本発明は、上述のような構成としたことで、収納ケースを組み立てる際に、糊等の接着剤を用いる必要がなく、突片を係止溝に係止することにより組み立てることができるので、組み立て作業が極めて容易になる。また、前記の係止を解けば、簡単に解体できる。すなわち、必要に応じて、組み立て・解体を簡単に繰り返すことができる。
【００１３】
また、シート状体の折り曲げ部の両端部分を切欠いたものとすれば、組み立てた収納ケースの角が面取りされた状態となり、物が引っ掛かり難く、且つ、人がその角に接触したときに切り傷等の怪我をするおそれが少ない。
【００１４】
また、特に、シート状体を透明にすると、内部に収納した収納物を外部から認識し易くなる。
【発明を実施するための最良の形態】
【００１５】
以下、本発明を実施するための最良の形態を、実施例として示す各図と共に説明する。図１ないし図８は本発明の収納ケースの実施例である。
【実施例】
【００１６】
本発明の実施例に係る収納ケースについて、図１に本件発明のシート状体１を、図２にハンドル５２を取り付けたシート状体１を示す。また、図３ないし５にシート状体１を組み立ての過程を示す。また、図６に組み立てが完了した状態を示す。図７にはシート状体１の一部を拡大したものを、図８には組み立てが完了した状態の一部を拡大したものをそれぞれ示す。
【００１７】
本発明の収納ケースは、家庭で使用する収納ケースとして利用できるほか、例えば、店舗において、商品を内部に収納した状態で展示又は販売するときに利用できる。特に、携帯電話機等のように、携帯電話機本体の他に付属品（アダプタ・説明書等）があるものを一まとめにして展示・販売するのに適している。
【００１８】
本発明のシート状体１は、透明のＰＰ（ポリプロピレン）等の樹脂からなる一枚のシートを所定形状に打ち抜いて製造されるものである。所定形状に打ち抜いたものが図１である。
【００１９】
図１に示すとおり、本発明のシート状体１は、天面部１０、背面部１１、底面部１２、正面部１３、右側面部１４、左側面部１５を備え、これに、蓋部２０、延長部２１、２２、折込部２３、２４、２５、２６を備える。
【００２０】
シート状体１において、蓋部２０、天面部１０、背面部１１、底面部１２、正面部１３は、折り曲げ部ｈ、ａ、ｂ、ｃを介して縦方向に連設されており、背面部１１の左右には、折り曲げ部ｄ、ｅを介して右側面部１４、左側面部１５が横方向に連設され、さらに、これら側面部１４、１５の外側に折り曲げ部ｆ、ｇを介して延長部２１、２２が連設されている。また、側面部１４、１５の上下には、折込部２３、２４、２５、２６が折り曲げ部ｉ、ｊ、ｋ、ｌを介して縦方向に連設されている。
【００２１】
折り曲げ部ａないしｌは、シート状体１に折れ目を入れた部分であり、シート状体１は各折り曲げ部で折り曲げ可能になっている。本実施例では、折り曲げ部ａないしｌの両端部分を切り欠いてある。
【００２２】
本実施例では、折り曲げ部ａないしｌの全ての両端部分を切り欠いてある。折り曲げ部ｃ、ｈの両端部分は、略くの字状に切り欠いてあり、その他の折り曲げ部については、図７に示すとおり、３つの折り曲げ部の端部が接合する箇所を略円形状に切り欠くことで両端部分を切り欠いたものとしている。
【００２３】
このようなものであると、組み立てた収納ケースの全ての角が面取りをされた形態となることから、物に引っ掛かったりし難く、人が接触したときに切り傷等の怪我をする可能性が低くなる。
【００２４】
本実施例では、図１のとおり、組み立てる際に重なる正面部１３の右辺と右側面部１４の右辺において、前者に突片３２を設け、後者に折り曲げ部ｆを介して延長部２１を連設し、延長部２１に係止溝３０を設けている。同様に、組み立てる際に重なり合う正面部１３の左辺と左側面部１５の左辺において、前者に突片３３を設け、後者に折り曲げ部ｇを介して延長部２２を連設し、延長部２２に係止溝３１を設けている。
【００２５】
突片３２、３３は、正面部１３に対して折り曲げ自在に連設してある。図７に示すとおり、突片３２、３３は、略台形形状からなり、先端から末端に向って除々に横幅が広がり、末端付近で横幅が狭くなる。この突片３２、３３の横幅の最大幅は、係止溝３０、３１の溝長さよりも長い。そして突片３２、３３の末端の横幅は係止溝３０、３１の溝長さよりも短い。
【００２６】
このようなものであると、収納ケースを組み立てる際、突片３２、３３を一時的に弾性変形させながら係止溝３０、３１に差し込むことにより、係止溝３０、３１に突片３２、３３を係止することができる。
【００２７】
延長部２１、２２には、突片３２、３３を差し込んで係止する係止溝３０、３１が、折り曲げ部ｆ、ｇのやや外側に位置して設けられている。組み立てる際に、延長部２１、２２を側面部１４、１５に対して略垂直に折り曲げると、図３、４に示すとおり、係止溝３０、３１が突片３２、３３を設けた正面部１３に対向して開口するので、突片３２、３３を挿入し易く、組み立てが容易になる。
【００２８】
また、延長部２１、２２の縦幅は、側面部１４、１５の縦幅と略同一で、横幅は、側面部１４、１５の横幅の約３分の１である。また、延長部２１、２２の縦幅は正面部１３の縦幅と略同一である。
【００２９】
このようなものであると、組み立てた際に、延長部２１、２２が、対向する正面部１３と大きな面積で接触することになり（図４参照）、収納ケースの全体形状が安定する。
【００３０】
側面部１４、１５の上下には折込部２３、２４、２５、２６連設されている。この折込部２３、２４、２５、２６の横幅は、側面部１４、１５の横幅と略同一で、縦幅は、天面部１０ないし底面部１２の縦幅と略同一である。このようなものであると、組み立てた際、収納ケースの形状を安定的に保持できる。
【００３１】
また、組み立てた際、折込部２５、２６が底面部１２と重なり合うため、耐荷重性を向上することができる。
【００３２】
また、組み立てた際、折込部２５、２６によって、収納物が底面部１２と側面部１４、１５の隙間から抜け落ちる可能性を低減することができる。
【００３３】
天面部１０には、ハンドル５２を取り付けることができる。天面部１０に設けた二つの挿入孔５０、５１に弾性変形可能なハンドル５２の両端を差込んで取り付ける。
【００３４】
このようなものであると、ハンドル５２を取り付けた状態では、持ち運んで使用でき、ハンドル５２を取り外した状態では、収納ケースを複数積み重ねて展示することができる。
【００３５】
また、天面部１０に折り曲げ部ｈを介して連設した蓋部２０には、略Ｕ字状からなる差込片４０が設けてあり、この差込片４０を正面部１３の中央付近に設けた差込溝４１に差し込んで蓋面部２０を正面部１３に留めることができる。
【００３６】
上記のような本発明に係るシート状体１は、次のようにして組み立てる。
【００３７】
まず、図３に示すとおり、側面部１４、１５を、背面部１１に対して略垂直になるように内側へ折り曲げる。そして、折込部２３、２４、２５、２６を、側面部１４、１５に対して略垂直になるように内側へ折り曲げ、さらに、延長部２１、２２を側面部１４、１５に対して略垂直となるように折り曲げる。
【００３８】
次に、図４に示すとおり、底面部１２を背面部１１に対して略垂直になるように折り曲げ、さらに、正面部１３と延長部２１、２２とが対向するように正面部１３を折り曲げて、突片３２、３３を係止溝３０、３１に差し込んで係止する。
【００３９】
そして、図５に示すとおり、天面部１０を背面部１１に対して略垂直になるように折り曲げ、さらに、蓋部２０を正面部１３に対向するように折り曲げて、蓋部２０に設けた略Ｕ字状の切り欠き４０を、正面に設けた挿入孔４１に挿入する。
【００４０】
以上のようにして組み立てられた収納ケースであると、糊等を用いる必要がないので容易に組み立てることができる。また、必要に応じて、解体・組み立てを繰り返すことができる。
【００４１】
なお、本実施例では、正面部１３に突片３２、３３を設け、側面部１４、１５に延長部２１、２２を設けているが、これとは逆に、正面部１３に延長部を設け、側面部１４、１５に突片を設けても良い。
【００４２】
また、上記のとおり、延長部２１、２２は、安定性を考慮して、側面部１４、１５の縦幅と同一の縦幅で、側面部１４、１５の横幅の約３分の１の横幅であるが、これよりも小さな幅のものとしても良い。
【００４３】
また、突片３２、３３の数、大きさ、形状は上記に限るものではなく任意に選択できる。たとえば、突片の数は１つでも３つでも良く、形状としては、本実施例の略台形状からなる突片の向きを逆にしても良い。
【００４４】
また、透明のＰＰ（ポリプロピレン）等の樹脂からなる一枚のシートを採用しているが、色彩は透明色に限るものではなく任意に選択できる。
【図面の簡単な説明】
【００４５】
【図１】本発明の実施例のシート状体１を示す斜視図である。
【図２】本発明の実施例のハンドル５２を取り付けたシート状体１示す斜視図である。
【図３】本発明の実施例の組み立て過程を示す斜視図である。
【図４】本発明の実施例の組み立て過程を示す斜視図である。
【図５】本発明の実施例の組み立て過程を示す斜視図である。
【図６】本発明の実施例の組み立て後の状態を示す斜視図である。
【図７】本発明の実施例のシート状体１の一部拡大図である。
【図８】本発明の実施例の組み立て後の状態の一部拡大図である。
【符号の説明】
【００４６】
１０  天面部
１１  背面部
１２  底面部
１３  正面部
１４  右側面部
１５  左側面部
２０  蓋面部
２１  延長部
２２  延長部
２３  折込部
２４  折込部
２５  折込部
２６  折込部
３０  係止溝
３１  係止溝
３２  突片
３３  突片
４０  差込片
４１  差込溝
５０  挿入孔
５１  挿入孔
５２  ハンドル
ａ〜ｌ  折り曲げ部
【図１】
2005289400.tif 000003
【図２】
2005289400.tif 000004
【図３】
2005289400.tif 000005
【図４】
2005289400.tif 000006
【図５】
2005289400.tif 000007
【図６】
2005289400.tif 000008
【図７】
2005289400.tif 000009
【図８】
2005289400.tif 000010